(57)【要約】【課題】身体部位に確実に巻き付けることができ、当該身体部位に振動を確実に付与することができる振動マッサージ器を提供する。【解決手段】第１の振動体１１ａ及びこれに連結された可撓性を有する第１の振動伝達体１１ｂを含む第１の振動要素１１と、第２の振動体１２ａ及びこれに連結された可撓性を有する第２の振動伝達体１２ｂを含む第２の振動要素１２とが、可撓性を有する連結材１３，１３を介してリング状に構成された主振動要素１０を備え、さらに第１の振動要素１１部分と第２の振動要素１２部分とを着脱可能に連結する連結具２０を備える振動マッサージ器。【選択図】図１
2019072096.tif 000002
【特許請求の範囲】
【請求項１】
第１の振動体及びこれに連結された可撓性を有する第１の振動伝達体を含む第１の振動要素と、第２の振動体及びこれに連結された可撓性を有する第２の振動伝達体を含む第２の振動要素とが、前記第１の振動伝達体及び前記第２の振動伝達体より高い可撓性を有する連結材を介してリング状に構成された主振動要素を備え、
前記主振動要素において前記第１の振動要素と第２の振動要素とは対向するように配置され、
前記第１の振動要素部分と前記第２の振動要素部分とを着脱可能に連結する連結具をさらに備える振動マッサージ器。
【請求項２】
第１の振動体及びこれに連結された可撓性を有する第１の振動伝達体を含む第１の振動要素と、第２の振動体及びこれに連結された可撓性を有する第２の振動伝達体を含む第２の振動要素とが、前記第１の振動伝達体及び前記第２の振動伝達体より高い可撓性を有する連結材を介してリング状に構成された主振動要素と、
それぞれ可撓性を有する第３の振動伝達体と第４の振動伝達体とが、前記第３の振動伝達体及び前記第４の振動伝達体より高い可撓性を有する連結材を介してリング状に構成された補助振動要素と、
前記主振動要素の第１の振動要素部分と前記補助振動要素の第３の振動伝達体部分とを連結する第１の連結具と、
前記主振動要素の第２の振動要素部分と前記補助振動要素の第４の振動伝達体部分とを着脱可能に連結する第２の連結具とを備える振動マッサージ器。
【請求項３】
前記第１の振動要素及び前記第２の振動要素をそれぞれ上下方向に配置した状態において、前記第１の振動体と前記第２の振動体とは上下互い違いになるように配置されている請求項１又は２に記載の振動マッサージ器。
【請求項４】
前記第１の連結具は、前記主振動要素の第１の振動要素部分と前記補助振動要素の第３の振動伝達体部分とを着脱可能かつ展開及び折り畳み可能に連結する請求項２に記載の振動マッサージ器。
【請求項５】
前記主振動要素において前記第１の振動要素と第２の振動要素とは対向するように配置され、前記補助振動要素において前記第３の振動伝達体と前記第４の振動伝達体とは対向するように配置されている請求項２又は４に記載の振動マッサージ器。
【請求項６】
前記主振動要素及び前記補助振動要素は弾性体により被覆されている請求項２、４又は５に記載の振動マッサージ器。
【発明の詳細な説明】
【技術分野】
【０００１】
本発明は振動マッサージ器に関し、より詳しくは、足、腕、胴体等の特定の身体部位に巻き付けて、当該身体部位に振動を付与する振動マッサージ器に関する。
【背景技術】
【０００２】
かかる振動マッサージ器として従来、特許文献１に開示されているようなベルト式の振動マッサージ器（マッサージベルト）が知られている。この特許文献１に開示されているマッサージベルトは、ベルトボディを身体部位に巻き付けることで当該マッサージベルトを当該身体部位に密着固定させるようにしている。しかし、特に足や腕などのように太さや外形などが変化する身体部位に対してはベルトボディを確実に巻き付けることが難しく、当該身体部位に振動を確実に付与することが難しかった。
【先行技術文献】
【特許文献】
【０００３】
【特許文献１】特表２００７−１３０４６７号公報
【発明の概要】
【発明が解決しようとする課題】
【０００４】
本発明が解決しようとする課題は、身体部位に確実に巻き付けることができ、当該身体部位に振動を確実に付与することができる振動マッサージ器を提供することにある。
【課題を解決するための手段】
【０００５】
本発明の一観点によれば、次の（１）の振動マッサージ器が提供される。
（１）第１の振動体及びこれに連結された可撓性を有する第１の振動伝達体を含む第１の振動要素と、第２の振動体及びこれに連結された可撓性を有する第２の振動伝達体を含む第２の振動要素とが、前記第１の振動伝達体及び前記第２の振動伝達体より高い可撓性を有する連結材を介してリング状に構成された主振動要素を備え、
前記主振動要素において前記第１の振動要素と第２の振動要素とは対向するように配置され、
前記第１の振動要素部分と前記第２の振動要素部分とを着脱可能に連結する連結具をさらに備える振動マッサージ器。
【０００６】
本発明の他の観点によれば、次の（２）の振動マッサージ器が提供される。
（２）第１の振動体及びこれに連結された可撓性を有する第１の振動伝達体を含む第１の振動要素と、第２の振動体及びこれに連結された可撓性を有する第２の振動伝達体を含む第２の振動要素とが、前記第１の振動伝達体及び前記第２の振動伝達体より高い可撓性を有する連結材を介してリング状に構成された主振動要素と、
それぞれ可撓性を有する第３の振動伝達体と第４の振動伝達体とが、前記第３の振動伝達体及び前記第４の振動伝達体より高い可撓性を有する連結材を介してリング状に構成された補助振動要素と、
前記主振動要素の第１の振動要素部分と前記補助振動要素の第３の振動伝達体部分とを連結する第１の連結具と、
前記主振動要素の第２の振動要素部分と前記補助振動要素の第４の振動伝達体部分とを着脱可能に連結する第２の連結具とを備える振動マッサージ器。
【発明の効果】
【０００７】
前記（１）の振動マッサージ器は、リング状に構成された主振動要素において対向する第１の振動要素部分と第２の振動要素部分とが連結具で連結される構成であり、このリング状の主振動要素が身体部位の形状に合わせて適宜形状変更できるので、当該身体部位に確実に巻き付けることができる。
また、連結具が主振動要素の第１の振動要素部分と第２の振動要素部分とを連結するので、第１及び第２の振動要素が発生した振動は連結具を介して連動する。これにより、主振動要素を身体部位に確実に巻き付けることができることと相まって、当該身体部位に振動を確実に付与することができる。
【０００８】
前記（２）の振動マッサージ器は、主振動要素と補助振動要素という２つのリング状の振動要素が第１の連結具及び第２の連結具で連結される構成であり、これら２つのリング状の振動要素が身体部位の形状に合わせて適宜形状変更できるので、当該身体部位に確実に巻き付けることができる。
また、第１の連結具が主振動要素の第１の振動要素部分と補助振動要素の第３の振動伝達体部分とを連結するので、主振動要素の第１の振動要素が発生した振動は第１の連結具を介して補助振動要素の第３の振動伝達体に伝達される。さらに、第２の連結具が主振動要素の第２の振動要素部分と補助振動要素の第４の振動伝達体部分とを連結するので、主振動要素の第２の振動要素が発生した振動は第２の連結具を介して補助振動要素の第４の振動伝達体に伝達される。これにより、主振動要素の第１の振動要素と第２の振動要素とが発生した振動を主振動要素及び補助振動要素のほぼ全体に伝達することができるので、主振動要素と補助振動要素とを身体部位に確実に巻き付けることができることと相まって、当該身体部位に振動を確実に付与することができる。
【図面の簡単な説明】
【０００９】
【図１】本発明の第１実施例である振動マッサージ器の展開図である。
【図２】図１の振動マッサージ器を身体部位（ふくらはぎ）に巻き付けた状態を示す概念図である。
【図３】図１の振動マッサージ器において第１の振動体及び第２の振動体に電力を供給するための電気回路の一例を示す説明図である。
【図４】本発明の第２実施例である振動マッサージ器の展開図である。
【図５】図４の振動マッサージ器を身体部位（ふくらはぎ）に巻き付けた状態を示す説明図である。
【図６】図４の振動マッサージ器を身体部位（ふくらはぎ）に巻き付けた状態を示す概念図である。
【発明を実施するための形態】
【００１０】
以下、図面に示す実施例に基づき本発明の実施の形態を説明する。
（第１実施例）
図１に本発明の第１実施例である振動マッサージ器１Ａを示し、図２にこの振動マッサージ器１Ａを身体部位（ふくらはぎ）に巻き付けた状態を概念的に示している。
【００１１】
この振動マッサージ器１Ａは、主振動要素１０と連結具２０とを備えている。
主振動要素１０は、第１の振動要素１１と第２の振動要素１２とを含み、これらの第１の振動要素１１と第２の振動要素１２とが２本の細ワイヤ１３，１３（連結材）を介して連結されてリング状に構成されている。具体的には第１の振動要素１１と第２の振動要素１２とは、図１のように展開した状態において対向するように配置されている。
第１の振動要素１１は、第１の振動体１１ａ及びこの第１の振動体１１ａに連結された太ワイヤ１１ｂ（第１の振動伝達体）を含み、第２の振動要素１２は、第２の振動体１２ａ及びこの第２の振動体１２ａに連結された太ワイヤ１２ｂ（第２の振動伝達体）を含む。
そして、第１の振動要素１１及び第２の振動要素１２を図１のようにそれぞれ上下方向に配置した状態において、第１の振動体１１ａは第１の振動要素１１の下部に位置し、第２の振動体１２ａは第２の振動要素１２の上部に位置する。すなわち、第１の振動体１１ａと第２の振動体１２ａとは上下互い違いになるように配置されている。
なお、主振動要素１０はゴムチューブ３０（弾性体）により被覆されている。
【００１２】
ここで、前述した２本の細ワイヤ１３，１３（連結材）、太ワイヤ１１ｂ（第１の振動伝達体）及び太ワイヤ１２ｂ（第２の振動伝達体）はいずれも可撓性を有するが、２本の細ワイヤ１３，１３（連結材）は、太ワイヤ１１ｂ（第１の振動伝達体）及び太ワイヤ１２ｂ（第２の振動伝達体）より高い可撓性を有する。すなわち、２本の細ワイヤ１３，１３（連結材）は、太ワイヤ１１ｂ（第１の振動伝達体）及び太ワイヤ１２ｂ（第２の振動伝達体）に比べ、身体部位の形状に合わせて形状変更しやすい。一方、太ワイヤ１１ｂ（第１の振動伝達体）及び太ワイヤ１２ｂ（第２の振動伝達体）の可撓性は２本の細ワイヤ１３，１３（連結材）の可撓性より低いので、太ワイヤ１１ｂ（第１の振動伝達体）及び太ワイヤ１２ｂ（第２の振動伝達体）はそれぞれの形状を保持しやすい。
【００１３】
連結具２０は、第１の振動要素１１（太ワイヤ１１ｂ）部分と第２の振動要素１２（太ワイヤ１２ｂ）部分とを着脱可能に連結する。この連結具２０の本体部分２１は可撓性を有し、さらにこの連結具２０は第１の振動要素１１（太ワイヤ１１ｂ）部分と第２の振動要素１２（太ワイヤ１２ｂ）部分との着脱を容易にするためにフック２２を含む。
【００１４】
この振動マッサージ器１Ａを身体部位に巻き付けるには、まずリング状の主振動要素１０を特定の身体部位に沿うように巻き付ける。次に第１の振動要素１１（太ワイヤ１１ｂ）部分と第２の振動要素１２（太ワイヤ１２ｂ）部分とを連結具２０で連結する。これにより、例えば図２に示しているように、振動マッサージ器１Ａを特定の身体部位（図２ではふくらはぎ）に巻き付けることができる。その後、第１の振動体１１ａ及び第２の振動体１２ａに電力を供給する。そうすると第１の振動体１１ａ及び第２の振動体１２ａが振動を発生する。
【００１５】
図３に、第１の振動体１１ａ及び第２の振動体１２ａに電力を供給するための電気回路の一例を示している。同図において、例えば第１の端子４０に電力を入力すると、その電力が第１の振動体１１ａ及び第２の振動体１２ａに供給される。また、図３の電気回路は第２の端子５０を有するので、この第２の端子５０から他の電気回路（例えば他の振動体）に電力を出力することもできる。なお、第２の端子５０から図３の電気回路に電力を入力し、第１の端子４０から他の電気回路に電力を出力することもできる。
【００１６】
以上のとおり、図１に示す振動マッサージ器１Ａは、リング状に構成された主振動要素１０において対向する第１の振動要素１１部分と第２の振動要素１２部分とが連結具２０で連結される構成であり、このリング状の主振動要素１０が身体部位の形状に合わせて適宜形状変更できるので、当該身体部位に確実に巻き付けることができる。特に、第１の振動要素１１部分と第２の振動要素１２部分とを連結する２本の連結材（細ワイヤ）１３，１３が高い可撓性を有するので、例えば図２にも示しているように、２本の連結材（細ワイヤ）１３，１３が身体部位の形状に合わせて容易に形状変更できるので、当該身体部位に確実に巻き付けることができる。一方、第１の振動伝達体（太ワイヤ）１１ｂ及び第２の振動伝達体（太ワイヤ）１２ｂの可撓性は、２本の連結材（細ワイヤ）１３，１３の可撓性より低いので、第１の振動伝達体（太ワイヤ）１１ｂ及び第１の振動伝達体（太ワイヤ）１２ｂは、例えば図２に示しているようにそれぞれの形状（図２では上下方向の形状）を保持しやすく、当該身体部位に振動を確実に付与することができる。なお、第１の振動伝達体（太ワイヤ）１１ｂ及び第２の振動伝達体（太ワイヤ）１２ｂも可撓性は有するので、これらを連結具２０で連結してもそれぞれの可撓性によって当該身体部位の形状に合わせて適宜形状変更でき、例えば筋肉の動きによる形状変化にも容易に追従できる。
【００１７】
また、連結具２０が主振動要素の第１の振動要素１１部分と第２の振動要素１２部分とを連結するので、第１及び第２の振動要素１１ａ，１２ａが発生した振動は連結具２０を介して連動する。これにより、主振動要素１０を身体部位に確実に巻き付けることができることと相まって、当該身体部位に振動を確実に付与することができる。
【００１８】
さらに、この振動マッサージ器１Ａでは前述のとおり、第１の振動要素１１と第２の振動要素１２が対向するように配置されており、しかも第１の振動体１１ａ及び第２の振動体１２ａは上下互い違いになるように配置されているので、身体部位に振動をバランスよく付与することができる。
【００１９】
また、この振動マッサージ器１Ａでは前述のとおり、主振動要素１０がゴムチューブ３０（弾性体）により被覆されているので、身体部位により確実に巻き付けることができる。なお、ゴムチューブ３０ではなく、弾性テープや弾性塗料などにより被覆することもできる。
【００２０】
（第２実施例）
図４に本発明の第２実施例である振動マッサージ器１Ｂを示し、図５にこの振動マッサージ器１Ｂを身体部位（ふくらはぎ）に巻き付けた状態を示している。
【００２１】
この振動マッサージ器１Ｂは主振動要素１０に加え、補助振動要素６０、第１の連結具７０及び第２の連結具８０を備えている。
【００２２】
主振動要素１０は第１実施例と同様の構成であり、第１の振動要素１１と第２の振動要素１２とを含み、これらの第１の振動要素１１と第２の振動要素１２とが２本の細ワイヤ１３，１３（連結材）を介して連結されてリング状に構成されている。具体的には第１の振動要素１１と第２の振動要素１２とは、図４のように展開した状態において対向するように配置されている。
第１の振動要素１１は、第１の振動体１１ａ及びこの第１の振動体１１ａに連結された太ワイヤ１１ｂ（第１の振動伝達体）を含み、第２の振動要素１２は、第２の振動体１２ａ及びこの第２の振動体１２ａに連結された太ワイヤ１２ｂ（第２の振動伝達体）を含む。
そして、第１の振動要素１１及び第２の振動要素１２を図４のようにそれぞれ上下方向に配置した状態において、第１の振動体１１ａは第１の振動要素１１の下部に位置し、第２の振動体１２ａは第２の振動要素１２の上部に位置する。すなわち、第１の振動体１１ａと第２の振動体１２ａとは上下互い違いになるように配置されている。
【００２３】
補助振動要素６０は、それぞれ可撓性を有する第３の振動伝達体及び第４の振動伝達体としての太ワイヤ６１及び太ワイヤ６２を含み、これらの太ワイヤ６１と太ワイヤ６２とが２本の細ワイヤ６３，６３（可撓性を有する連結材）を介して連結されてリング状に構成されている。具体的には太ワイヤ６１（第３の振動伝達体）と太ワイヤ６２（第４の振動伝達体）とは、図１のように展開した状態において対向するように配置されている。
【００２４】
なお、主振動要素１０及び補助振動要素６０はそれぞれゴムチューブ３０，３０（弾性体）により被覆されている。
【００２５】
ここで、前述した細ワイヤ１３，１３（連結材）、細ワイヤ６３，６３（連結材）、太ワイヤ１１ｂ（第１の振動伝達体）、太ワイヤ１２ｂ（第２の振動伝達体）、太ワイヤ６１（第３の振動伝達体）及び太ワイヤ６２（第３の振動伝達体）はいずれも可撓性を有するが、細ワイヤ１３，１３（連結材）及び細ワイヤ６３，６３（連結材）は、太ワイヤ１１ｂ（第１の振動伝達体）、太ワイヤ１２ｂ（第２の振動伝達体）、太ワイヤ６１（第３の振動伝達体）及び太ワイヤ６２（第３の振動伝達体）より高い可撓性を有する。すなわち、細ワイヤ１３，１３（連結材）及び細ワイヤ６３，６３（連結材）は、太ワイヤ１１ｂ（第１の振動伝達体）、太ワイヤ１２ｂ（第２の振動伝達体）、太ワイヤ６１（第３の振動伝達体）及び太ワイヤ６２（第４の振動伝達体）に比べ、身体部位の形状に合わせて形状変更しやすい。一方、太ワイヤ１１ｂ（第１の振動伝達体）、太ワイヤ１２ｂ（第２の振動伝達体）、太ワイヤ６１（第３の振動伝達体）及び太ワイヤ６２（第４の振動伝達体）の可撓性は、細ワイヤ１３，１３（連結材）及び細ワイヤ６３，６３（連結材）の可撓性より低いので、太ワイヤ１１ｂ（第１の振動伝達体）、太ワイヤ１２ｂ（第２の振動伝達体）、太ワイヤ６１（第３の振動伝達体）及び太ワイヤ６２（第４の振動伝達体）はそれぞれの形状を保持しやすい。
【００２６】
第１の連結具７０は、主振動要素１０の第１の振動要素１１部分と補助振動要素６０の第３の振動伝達体（太ワイヤ）６１部分とを着脱可能かつ展開及び折り畳み可能に連結する。また、第２の連結具８０は、主振動要素１０の第２の振動要素１２部分と補助振動要素６０の第４の振動伝達体（太ワイヤ）６２部分とを着脱可能に連結する。なお、第２の連結具８０の本体部分８１は可撓性を有し、さらにこの第２の連結具８０は主振動要素１０の第２の振動要素１２部分と補助振動要素６０の第４の振動伝達体（太ワイヤ）６２部分との着脱を容易にするためにフック８２を含む。
【００２７】
この振動マッサージ器１Ｂを身体部位に巻き付けるには、主振動要素１０の第１の振動要素１１部分と補助振動要素６０の第３の振動伝達体（太ワイヤ）６１部分とを第１の連結具７０で連結したうえで、この連結された主振動要素１０及び補助振動要素６０を特定の身体部位に沿うように巻き付ける。次に、主振動要素１０の第２の振動要素１２部分と補助振動要素６０の第４の振動伝達体（太ワイヤ）６２部分とを第２の連結具８０で連結する。これにより、例えば図４に示しているように、振動マッサージ器１Ｂを特定の身体部位（図４ではふくらはぎ）に巻き付けることができる。その後、第１の振動体１１ａ及び第２の振動体１２ａに電力を供給する。そうすると第１の振動体１１ａ及び第２の振動体１２ａが振動を発生する。なお、第１の振動体１１ａ及び第２の振動体１２ａに電力を供給するための電気回路の一例は図３に示したとおりである。
【００２８】
以上のとおり、図４に示す振動マッサージ器１Ｂは、主振動要素１０と補助振動要素６０という２つのリング状の振動要素が第１の連結具７０及び第２の連結具８０で連結される構成であり、これら２つのリング状の振動要素が身体部位の形状に合わせて適宜形状変更できるので、当該身体部位に確実に巻き付けることができる。特に、主振動要素１０において第１の振動要素１１部分と第２の振動要素１２部分とを連結する２本の連結材（細ワイヤ）１３，１３、及び補助振動要素６０において第３の振動伝達体６１部分と第４の振動伝達体６２部分とを連結する２本の連結材（細ワイヤ）６３，６３が高い可撓性を有するので、例えば図６に概念的に示しているように、各連結材（細ワイヤ）１３，６３が身体部位の形状に合わせて容易に形状変更できるので、当該身体部位に確実に巻き付けることができる。一方、各振動伝達体（太ワイヤ）１１ｂ，１２ｂ，６１，６２の可撓性は、各連結材（細ワイヤ）１３，６３の可撓性より低いので、各振動伝達体（太ワイヤ）１１ｂ，１２ｂ，６１，６２は、例えば図６に示しているようにそれぞれの形状（図６では上下方向の形状）を保持しやすく、当該身体部位に振動を確実に付与することができる。なお、各振動伝達体１１ｂ，１２ｂ，６１，６２も可撓性は有するので、これらを第１の連結具７０又は第２の連結具８０で連結してもそれぞれの可撓性によって当該身体部位の形状に合わせて適宜形状変更でき、例えば筋肉の動きによる形状変化にも容易に追従できる。
【００２９】
また、例えば図５の状態で、第１の振動体１１ａ（第１の振動要素１１）が発生した振動は第１の連結具７０を介して補助振動要素６０の第３の振動伝達体（太ワイヤ）６１に伝達され、第２の振動体１２ａ（第２の振動要素１２）が発生した振動は第２の連結具８０を介して補助振動要素６０の第４の振動伝達体（太ワイヤ）６２に伝達される。これにより、第１の振動体１１ａ（第１の振動要素１１）と第２の振動体１２ａ（第２の振動要素１２）とが発生した振動を主振動要素１０及び補助振動要素６０のほぼ全体に伝達することができるので、振動マッサージ器１Ｂ（主振動要素１０及び補助振動要素６０）を身体部位に確実に巻き付けることができることと相まって、当該身体部位に振動を確実に付与することができる。
【００３０】
また、この振動マッサージ器１Ｂでは前述のとおり、主振動要素１０及び補助振動要素２０がそれぞれゴムチューブ３０，３０（弾性体）により被覆されているので、身体部位により確実に巻き付けることができる。なお、ゴムチューブ３０，３０ではなく、弾性テープや弾性塗料などにより被覆することもできる。
【００３１】
また、この振動マッサージ器１Ｂでは前述のとおり、第１の連結具７０が主振動要素１０と補助振動要素６０とを着脱可能に連結するので、身体部位の大きさや形状などに応じて、大きさの異なる主振動要素と補助振動要素とを選択してこれらを連結することもできる。
【００３２】
さらに、この振動マッサージ器１Ｂでは前述のとおり、第１の振動要素１１と第２の振動要素１２、第３の振動伝達体（太ワイヤ）６１と第４の振動伝達体（太ワイヤ）６２が、それぞれ対向するように配置されており、しかも第１の振動体１１ａ及び第２の振動体１２ａは上下互い違いになるように配置されているので、身体部位に振動をバランスよく付与することができる。
【００３３】
以上、図面に示す実施例に基づき本発明の実施の形態を説明したが、本発明はこの実施例に限定されるものではなく、本発明の範囲内で適宜変更できることは言うまでもない。例えば実施例では、第１の振動要素１１と第２の振動要素１２、第３の振動伝達体６１と第４の振動伝達体６２を連結する連結材として細ワイヤを使用したが、可撓性を有するものであれば他の連結材を使用することができ、弾性体を連結材として使用することもできる。また、実施例では振動伝達体として太ワイヤを使用したが、可撓性を有しかつ振動を伝達することができるものであれば他の振動伝達体を使用することができる。さらに、連結具の個数や構成（構造）なども適宜変更可能である。
【符号の説明】
【００３４】
１Ａ，１Ｂ  振動マッサージ器
１０  主振動要素
１１  第１の振動要素
１１ａ  第１の振動体
１１ｂ  太ワイヤ（第１の振動伝達体）
１２  第２の振動要素
１２ａ  第２の振動体
１２ｂ  太ワイヤ（第２の振動伝達体）
１３  細ワイヤ（連結材）
２０  連結具
２１  連結具本体
２２  フック
３０  ゴムチューブ（弾性材）
４０  第１の端子
５０  第２の端子
６０  補助振動要素
６１  太ワイヤ（第３の振動伝達体）
６２  太ワイヤ（第４の振動伝達体）
７０  第１の連結具
８０  第２の連結具
８１  連結具本体
８２  フック
【図１】
2019072096.tif 000003
【図２】
2019072096.tif 000004
【図３】
2019072096.tif 000005
【図４】
2019072096.tif 000006
【図５】
2019072096.tif 000007
【図６】
2019072096.tif 000008